(57)【要約】      （修正有）【課題】着用者が胸部に装着した線量計等の装備品を、外部から視認できる防護服を提供する。【解決手段】防護服１を、胸部に透光性素材からなる透光部２５を備えた上衣２と、胸部に透光性素材からなる透光部３２を備えた下衣３から構成し、上下衣の透光部同士を、着用時に重なり合うように位置させる。【選択図】図１
0003183170.tif 000002
【実用新案登録請求の範囲】
【請求項１】
胸部に透光性素材からなる透光部を備えた上衣と、胸部に透光性素材からなる透光部を備えた下衣と、を備える防護服であって、
前記防護服を着用した状態において、前記上衣が備える透光部と前記下衣が備える透光部が重なることにより、着用者の胸部を外部から視認できるようにした
ことを特徴とする、防護服。
【請求項２】
前記上衣が備える透光部は、幅略４０ｃｍ、高さ略２０ｃｍの略矩形状に形成されたことを特徴とする、請求項１記載の防護服。
【請求項３】
前記下衣は、着用者の下半身を覆う本体部と、着用者の胸を覆う胸部と、着用者の背中を覆う背部と、を備え、
前記胸部が、透光性素材からなる前期下衣が備える透光部であるようにした
ことを特徴とする、請求項１記載の防護服。
【請求項４】
前記本体部は、着用者の脚を覆う脚部を備え、
前記脚部の下端側は、外側脚部と、内側脚部と、を備える二重構造とした
ことを特徴とする、請求項３記載の防護服。
【考案の詳細な説明】
【技術分野】
【０００１】
本考案は防護服に関し、具体的には、作業者の胸部に装着した装備品を外部から視認可能な防護服に関する。
【背景技術】
【０００２】
従来から、原子力施設等における作業者が着用する防護服として、例えば特許文献１の防護服が知られている。
【０００３】
また、原子力施設では、例えば特許文献２の線量計を各作業者が装着し、この線量計が表示する値を適宜検査し、作業者が所定量以上の放射線を被爆しないようにすることが通常である。
【先行技術文献】
【特許文献】
【０００４】
【特許文献１】特開２０１２−２５２０２１号公報
【特許文献２】特開２００９−１２８００８号公報
【考案の概要】
【考案が解決しようとする課題】
【０００５】
原子力施設等において使用されている従来の防護服は作業者に放射性物質が付着等することを防ぐ為に不織布等の生地により形成されていることが通常である。また、前述の線量計は、作業者の被爆量を計測することを目的としていることから、防護服の下に装着していることが通常である。
【０００６】
しかし、従来の防護服は前述の通り不織布等で形成されているために、当該防護服の下に装着した線量計等の装備品を、防護服を着用した状態で外部から視認することができないという問題があった。
【０００７】
本考案は前述の状況に着目し、外部から線量計等の装備品を視認できる防護服を提供することを、その課題とするものである。
【課題を解決するための手段】
【０００８】
前述の課題を解決することを目的としてなされた本考案に係る防護服の構成は、胸部に透光性素材からなる透光部を備えた上衣と、胸部に透光性素材からなる透光部を備えた下衣と、を備える防護服であって、前記防護服を着用した状態において、前記上衣が備える透光部と前記下衣が備える透光部が重なることにより、着用者の胸部を外部から視認できるようにしたことを特徴としている。
【０００９】
本考案に係る防護服は、上衣が備える透光部が、幅略４０ｃｍ、高さ略２０ｃｍの略矩形状に形成されていることが望ましい。また、下衣が、着用者の下半身を覆う本体部と、着用者の胸を覆う胸部と、着用者の背中を覆う背部と、を備え、前記胸部が、透光性素材からなる前期下衣が備える透光部であるようにすると好適である。
さらに、本考案に係る防護服は、本体部が、着用者の脚を覆う脚部を備え、前記脚部の下端側は、外側脚部と、内側脚部と、を備える二重構造としてもよい。
【考案の効果】
【００１０】
本考案の防護服によれば、上衣及び下衣のそれぞれが着用者の胸部にあたる位置に透光部を備えており、着用時に上下衣の透光部同士が重なることにより、防護服の下に装着した装備品等を、防護服を着用した状態で外部から視認することができる。
【図面の簡単な説明】
【００１１】
【図１】本考案に係る防護服の一例を示す図であり、（ａ）は正面図、（ｂ）は背面図である。
【図２】同実施例における下衣を示す図であり、（ａ）は正面図、（ｂ）は背面図である。
【考案を実施するための形態】
【００１２】
以下、本考案の実施形態の一例を、図面を参照して説明する。
本実施例に係る防護服１は、図１（ａ）（ｂ）で示すように、上衣２と、下衣３から構成されている。
【００１３】
上衣２は着用者の上半身を覆う部材であり、身頃２１と、袖２２、２３と、フード２４と、透光部２５から構成されている。
【００１４】
身頃２１は着用者の胴体を覆う部材であり、本実施例ではＰＥＴ樹脂からなる不織布から形成されている。また、身頃２１の前身頃の胸部には、幅略４０ｃｍ、高さ略２０ｃｍの略矩形状の開口部２６が設けられており、当該開口部２６と後述の透光性シート２７により透光部２５が構成されている。
【００１５】
袖２２、２３、及びフード２４は、それぞれ着用者の左右腕部、及び頭部を覆う部材であり、身頃２１と同じくＰＥＴ樹脂からなる不織布から形成されている。また、袖２２、２３、及びフード２４は、身頃２１と縫合されている。
【００１６】
身頃２１の下端側と、左右の袖２２、２３の先端側と、フード２４の開口側の縁部はゴム２８により伸縮性が設けられている。
【００１７】
透光部２５は、前述の身頃２１の開口部２６を、透光性を有する素材からなる透光性シート２７で塞いだものである。本実施例の透光性シート２７はエチレン・酢酸ビニル共重合樹脂（以下、ＥＶＡ樹脂という）を幅略５０ｃｍ、高さ略３０ｃｍの略矩形状に形成したものである。透光性シート２７は身頃２１の開口部２６よりも幅及び高さがそれぞれ１０ｃｍずつ大きく形成されており、透光性シート２７を開口部２６の縁に縫合糸で縫合されている。なお、本実施例では透光性シート２７は開口部２６の縁に縫合されているが、透光性シート２７を開口部２６の縁に取り付ける手段としては縫合以外に接着や溶着でもよく、また、これらを組み合わせてもよい。
【００１８】
下衣３は図２（ａ）（ｂ）に示すように、着用者の胴体から下半身を覆う部材であり、着用者の下半身を覆う本体部３１と、透光部３２と、背部３３と、左右の肩紐３４、３５から構成されている。
【００１９】
本体部３１は、前述の身頃２１と同じく、ＰＥＴ樹脂からなる不織布を形成した部材であり、着用者の下半身、すなわち腹部から脚部を覆う部材である。
【００２０】
本体部３１において、着用者の臀部及び左右の膝部を覆う箇所は、前述の不織布を二重に設けている。また、脚部の膝下から下端側は外側脚部３６と、内側脚部３７とが設けられた二重構造となっており、内側脚部３７下端側の縁部はゴム３８により伸縮性が設けられている。
【００２１】
透光部３２は、着用者の胸部を覆う部材であり、上衣２における透光性シート２７と同様に、ＥＶＡ樹脂からなる透光性を有するシート状の部材である。透光部３２の下端側は本体部３１と縫合され、上端側の左右両端付近には後述の肩紐３４、３５が設けられている。
【００２２】
背部３３は、透光部３２と略同形状であり、着用者の背中部を覆う部材である。背部３３の下端側が本体部３１と縫合され、上端側の左右両端付近には後述の肩紐３４、３５が設けられているが、透光部３２がＥＶＡ樹脂から構成されているのに対し、背部３３は本体部３１と同様にＰＥＴ樹脂からなる不織布を形成した部材である。
【００２３】
肩紐３４、３５は、下衣３を着用者の肩に吊下げるための部材であり、透光部３２と背部３３のそれぞれの上端側における左右両端付近を連結するゴム製の部材である。
【００２４】
本実施例の防護服１は、上衣２の内側に下衣３を着用するように使用される。このとき、上衣２の透光部２５と下衣３の透光部３２は、上記着用状態においていずれも着用者の胸部に位置する。これにより、着用者の胸部を上衣２の外から視認することができる。
【００２５】
前述のとおり、原子力施設等における作業者は線量計等の装備品を装着して所定の作業を行うことが通常であるが、本実施例の構成によれば、着用者の胸部に上記装備品を装着し、その上から防護服１を着用することにより、防護服１の外部から着用者の胸部に装着された装備品を視認することができる。
【００２６】
本実施例の構成は前述のとおりであるが、本考案の形態はこれに限られない。例えば、本実施例の上衣２における透光性シート２７、及び、下衣３における透光部３２は、ＥＶＡ樹脂からなるシート状部材であるが、材質はＥＶＡ樹脂に限られず、透光性を有する他の素材を用いてもよい。
また、本実施例の上衣２の身頃２１、左右の袖２２、２３、フード２４、及び下衣３の本体部３１、背部３３はＰＥＴ樹脂からなる不織布から形成されているが、例えばポリエステル素材を用いた混紡生地の織物や、シート材等を用いてもよい。
その他の具体的構成についても、本実施例の形態に限られるものではなく、本考案の趣旨を逸脱しない範囲でさまざまな変更が可能である。
【符号の説明】
【００２７】
１        防護服
２        上衣
３        下衣
【図１】
0003183170.tif 000003
【図２】
0003183170.tif 000004